(57)【要約】【課題】クッション材を用いて人体の一部がベッド柵に衝突する衝撃を緩衝して人体を保護し、安価に製作可能なベッド柵カバーを提供する。【解決手段】家庭用や病院等の各種ベッドに設けられ枠部材５１と縦桟部材５２とからなるベッド柵を被覆するカバーであって、カバー本体２と、該カバー本体２に少なくともベッド柵５の内側面にクッション材４が出し入れ可能な開口を有する袋状のクッション材収容部３を設けると共に、前記カバー本体２をベッド柵５に係止する係止手段と、前記開口を開閉自在に止着する止着手段とを設けた。【選択図】図２
2014151065.tif 000002
【特許請求の範囲】
【請求項１】
ベッド柵を被覆するカバーであって、カバー本体と、該カバー本体に少なくともベッド柵の内側面にクッション材が出し入れ可能な開口を有する袋状のクッション材収容部を設けると共に、前記カバー本体をベッド柵に係止する係止手段と、前記開口を開閉自在に止着する止着手段とを設けたことを特徴とするベッド柵カバー。
【請求項２】
前記クッション材収容部が、複数に区画されていることを特徴とする請求項１に記載のベッド柵カバー。
【請求項３】
前記係止手段、及び前記止着手段が、ファスナー、面ファスナー、ボタン、帯又は紐であることを特徴とする請求項１または請求項２に記載のベッド柵カバー。
【発明の詳細な説明】
【技術分野】
【０００１】
本発明は、家庭用や病院等の各種ベッドに設けられたベッド柵に装着するカバーに関し、とくにクッション材を用いて人体を保護するベッド柵カバーに関するものである。
【背景技術】
【０００２】
従来、ベッドのサイドフレームなどには、布団等の落下防止や、患者のベッドからの落下を防止する様々な構造のベッド柵が設けられている。このようなベッド柵は、一般的に鋼管、アルミ等の金属部材が略矩形状に形成された枠部材と、補強のため枠部材内に設けられた縦桟部材とから構成されており、金属部材が剥き出しの状態で構成されていることが多く、使用者がベッド柵に衝突して、負傷するおそれがあった。
【０００３】
例えば、病院等においては、入院治療中の小児、乳幼児が、不機嫌さのあまり突如として後ろに反り返り転倒することで、ベッド周囲の柵に身体を打撲することがある。また例えば、脳梗塞や神経変性疾患をもつ患者が、脊髄の反射等からなる不随意運動により、ベッド柵に身体を衝突させる事故や、意識レベルの低い患者が、意識の混濁した状態でベッド上を動き、ベッド柵に身体を強打する事故が見受けられた。
【０００４】
上記のような問題点を解決するために、クッション性を有する袋状のカバー部材からなり、ベッド柵に取付けるベッド柵の保護部材（特許文献１参照）や、外面に毛羽を有するシートが下端辺に開口部を有する袋状に形成されたベッド柵用カバー（特許文献２参照）が既に開示されている。
【先行技術文献】
【特許文献】
【０００５】
【特許文献１】特開２００５−１３７４６１号公報
【特許文献２】実用新案登録第３１０４５３１号公報
【発明の概要】
【発明が解決しようとする課題】
【０００６】
しかしながら、特許文献１や特許文献２に記載されたカバーやシートは、カバーやシート素材が有するクッション性によって人体がベッド柵に衝突する衝撃を緩和するものであり、一定の強さの衝突にしか対応できず、衝突を充分に緩和することができないという問題があった。また、素材そのものにクッション性を有する素材を用いるため、そのような素材は費用が高価でコスト増を招くという問題があった。
【０００７】
本発明は、上記の課題に鑑みなされたものであり、クッション材を用いて人体の一部がベッド柵に衝突する衝撃を緩衝して人体を保護し、安価に製作可能なベッド柵カバーを提供することを目的とする。
【課題を解決するための手段】
【０００８】
このため本発明のベッド柵カバーは、ベッド柵を被覆するカバーであって、カバー本体と、該カバー本体に少なくともベッド柵の内側面にクッション材が出し入れ可能な開口を有する袋状のクッション材収容部を設けると共に、前記カバー本体をベッド柵に係止する係止手段と、前記開口を開閉自在に止着する止着手段とを設けたことを第一の特徴とする。
【０００９】
また、前記クッション材収容部が、複数に区画されていることを第二の特徴とする。
【００１０】
さらに、前記係止手段、及び前記止着手段が、ファスナー、面ファスナー、ボタン、帯又は紐であることを第三の特徴とする。
【発明の効果】
【００１１】
本発明は、以下の優れた効果を有する。
（１）ベッド柵の内面側に、クッション材を収容するため、特に優れた衝撃緩和力を得ることができる。そのため、無意識に身体の一部がベッド柵に衝突しても安全である。
（２）クッション材が、出し入れ可能であるため、所望する量や質に合わせてクッション材を適宜選択して交換可能であると共に、クッション材を交換することで衛生環境を清潔に保つことができる。
（３）ベッド柵を被覆するカバー本体は、係止手段を備えているため、身体が衝突したはずみでカバー本体がベッド柵から外れることを防止することができる。
（４）クッション材収容部が、複数に区画されているため、ベッド柵の縦桟部材の位置に合わせてクッション材を配置可能であり、効果的に衝突を緩和することができる。
（５）クッション材によりクッション性を有し、カバー素材にクッション性を有する素材を必要としないため、安価な素材を用いることが出来、低コストに製作することができる。
【図面の簡単な説明】
【００１２】
【図１】本発明に係るベッド柵カバー、及びこのカバーを装着するベッド柵の斜視図である。
【図２】図１のベッド柵カバーをベッド柵に装着した状態を示す断面図である。
【発明を実施するための形態】
【００１３】
以下、図１、図２を参照して、本発明によるベッド柵カバーの実施例について説明する。図１は、本発明に係るベッド柵カバー、及びこのカバーを装着するベッド柵の斜視図であり、ベッドフレームのサイドフレームの一部を示す斜視図である。図２は、図１のベッド柵カバーをベッド柵に装着した状態を示す断面図である。ベッドは図２に示すように、ベッド柵５、ベッドフレーム（サイド）６、ベッドフレーム（ボトム）７、及びマットレス８とから構成されている。ベッド柵５は、ベッド上から患者等が転落するのを防止する部材であり、ベッドフレーム（サイド）６に着脱可能に複数個が設けられている。図１に示すように、ベッド柵５は、鋼管、アルミ等の金属部材が略矩形状に形成された枠部材５１と、補強のため枠部材５１内に設けられた複数の縦桟部材５２とから構成されている。
【実施例】
【００１４】
本発明によるベッド柵カバー１は、図１、図２に示すように、ベッド柵５全体を着脱自在に被覆するカバー本体２と、カバー本体２のベッド柵の内側面にクッション材４を出し入れ可能な開口を有する袋状のクッション材収容部３とから構成される。
【００１５】
カバー本体２は、矩形状の綿生地を折り返し、その折り返した辺と隣り合う辺を縫い目２４で縫い合わせ、図２に示すように、一端が開口された装着口２１を有する袋状に形成されている。この装着口２１の一方向側（ベッド外側方向）の周縁は、折り返して複数の面ファスナー雌片２２と共に縫着され、他方向側（ベッド内側方向）の周縁は、クッション材収容部３の１辺を折り返して面ファスナー雄片２３と共に縫着されている。そのため、図１に示すように、ベッド柵５を被覆すると共に、装着口２１の周縁に設けられた面ファスナー雌片２２、及び面ファスナー雄片２３により装着口２１が開閉自在とされ、カバー本体２がベッド柵５から容易に外れないよう係止することができる。カバー本体２の生地は、例えば、綿、麻、ポリエステル、アクリル、レーヨン、シルク或いは合成皮革などの柔軟性を有する生地であれば何れでも使用できるが、本実施例ではとくに通気性が高く、安価な綿素材を用いる。
【００１６】
クッション材収容部３は、前述したように、カバー本体２より大きい矩形状の綿生地の一辺を折り返して縫着されており、この一辺と隣り合う辺は、カバー本体２の縫い目２１を縫う際に共に縫着されるか、もしくはカバー本体２に直接的に縫着され、クッション材収容部３は、挿入口３３を有する袋状に形成される。クッション材収容部３は、図２に示すように、挿入口３３から内部にクッション材４を出し入れし、内部に設けられたクッション材４により、患者等が縦桟部材５２に衝突した際の衝撃を緩衝することができる。そのため、カバー本体２と同サイズのクッション材４を設けること、もしくは図１に示すように、縦桟部材５２が配置されている箇所ごとにクッション材４を設けられるよう、クッション材収容部３を複数に区画して形成することが好ましい。
【００１７】
挿入口３３は、折り返して面ファスナー雄片３２共に縫着されており、この面ファスナー雄片３２と対向する位置に面ファスナー雌片３１がカバー本体２に縫着されている。この構造により挿入口３３が止着可能であり、不随意運動や就寝中の無意識の体動によりクッション材４がクッション収容部３から飛び出すことを防止することができると共に、クッション材４の交換を容易に行うことができる。
【００１８】
クッション材４は、衝撃を緩衝できる程度の弾力性を持つ素材であれば何れでも使用することができ、例えば、ポリエチレンフォーム、ウレタンフォーム、塩ビフォーム、硬質ゴム、スポンジゴム、フェルト、樹脂系発泡クッションなどが使用することができる。また、その形状は、収納部３に出し入れすることが可能な形状であれば何れでも使用することができ、例えば円盤形状、四角柱形状、ドーナツ形状、球体形状、円柱形状等が使用することができる。このように、所望する緩衝力を得るために、クッション材４の量や質を変更することができる。
【００１９】
また、カバー本体２は、図１に示すように、ベッド柵５に被せるようにして装着するため、カバー本体２の長手方向の幅がベッド柵５の長手方向の幅より大きく形成される。しかしながらベッド柵５が並べて設けられている場合は、隣接するベッド柵５間に隙間が生じて患者の頭、首、又は手足が隙間に入り込む事故が起きるおそれがある。したがって、このようなベッド柵５に取付けられるカバー本体２の長手方向の幅は、ただ単にベッド柵５に装着可能な幅ではなく、ベッド柵５間の隙間を埋めることができる幅に形成されることが好ましい。このようにカバー本体２を形成することで、収容されたクッション材４が隙間を埋めて事故を防ぐことができる。
【００２０】
尚、本実施例では、装着口２１と挿入口３３を開閉するために、面ファスナーを設けているが、例えばファスナー、ボタン、帯又は紐を設けて止着しても良い。また、面ファスナー２２と２３、及び３１と３２は、雌片と雄片が対向する位置に設けられれば良く、例えば、面ファスナー雌片２２と面ファスナー雄片２３を入れ替えて設けても良い。このように本発明は、本実施例に限定されるものではなく、種々の改良を加え得ることは、自明の理である。
【符号の説明】
【００２１】
１      ベッド柵カバー
２      カバー本体
２１    装着口
２２    面ファスナー雌片
２３    面ファスナー雄片
２４    縫い目
３      クッション材収容部
３１    面ファスナー雌片
３２    面ファスナー雄片
３３    挿入口
４      クッション材
５      ベッド柵
５１    枠部材
５２    縦桟部材
６      ベッドフレーム（サイド）
７      ベッドフレーム（ボトム）
８      マットレス
【図１】
2014151065.tif 000003
【図２】
2014151065.tif 000004